【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
小型移動装置上でマルチメディアコンテンツブラウジングを支援するシステムであって、
マルチメディアコンテンツデータベースと、
前記マルチメディアコンテンツデータベースから一つ以上のマルチメディアコンテンツを検索及び取得し、前記一つ以上のマルチメディアコンテンツを、通信ネットワークを介して、ブランジングコンポーネントへ転送することが可能な、処理コンポーネントと、
を備え、
前記ブラウジングコンポーネントが、該ブラウジングコンポーネント上で、各々が透過値を有し得る一つ以上の層に前記一つ以上のマルチメディアコンテンツをレンダリングすることが可能であり、一つ以上の入力装置を介して、前記一つ以上の層の各々の前記透過値を、独立に、インタラクティブに、連続的に、設定することが可能である、
システム。
【請求項２】
前記一つ以上のマルチメディアコンテンツのうちの一つが、一つ以上のセグメントを含み、前記マルチメディアコンテンツ及び前記一つ以上のセグメントの各々のうち少なくとも一方がキーワードと関連付けられ、キーワードによって検索され得る、請求項１に記載のシステム。
【請求項３】
前記マルチメディアコンテンツを合成する前記一つ以上のセグメントと、
前記一つ以上のセグメントの各々に関連付けられたキーワードと、
前記一つ以上のセグメントの各々の関連番号と、
の少なくとも一つのグラフィカル表示を更に備える、請求項２に記載のシステム。
【請求項４】
前記マルチメディアコンテンツが一つ以上のソースマルチメディアコンテンツからの一つ以上のセグメントを含むことができる、請求項２に記載のシステム。
【請求項５】
前記マルチメディアコンテンツを合成する前記一つ以上のセグメントの各々の前記ソースマルチメディアコンテンツのグラフィカル表示を更に備える、請求項４に記載のシステム。
【請求項６】
前記処理コンポーネントが、一つ以上の検索基準を介して、前記マルチメディアコンテ
ンツデータベースを検索することが更に可能であり、前記一つ以上の検索基準のうちの一つがキーワードとタイムスタンプのうちの一つであってもよい、請求項１に記載のシステム。
【請求項７】
前記処理コンポーネントが、前記一つ以上の層のうち二つ以上の層のコンテンツを、該二つ以上の層の透過値を用いて、合成及び動画化のうち少なくともいずれかをし、前記合成されたコンテンツを、前記マルチメディアコンテンツデータベースに保存及び前記ブラウジングコンポーネントへ転送することうちの少なくとも一つが可能な、請求項１に記載のシステム。
【請求項８】
前記ブラウジングコンポーネントが、ＰＤＡ、携帯電話、タブレットＰＣ、ポケットＰＣ、及び小型移動装置のうちの一つである、請求項１に記載のシステム。
【請求項９】
前記ブランジングコンポーネントが、前記一つ以上のマルチメディアコンテンツについて、
キーワードによる前記一つ以上のマルチメディアコンテンツの問い合わせと、
前記一つ以上のマルチメディアコンテンツのキーフレームを閲覧することによる前記一つ以上のマルチメディアコンテンツの探査と、
前記一つ以上のマルチメディアコンテンツのストリームの再生と、
の少なくとも一つを実行することが更に可能である、
請求項１に記載のシステム。
【請求項１０】
前記一つ以上の層内の層が、コンテンツ層又はウイジェット層であってもよい、請求項１に記載のシステム。
【請求項１１】
前記コンテンツ層のコンテンツが、
キーワードの出現頻度に基づくそれらの関連番号によって順序付けされ得る前記一つ以上のマルチメディアコンテンツのタイトルリスト、
前記一つ以上のマルチメディアコンテンツが合成されていないコンテンツ及び合成されたコンテンツのうちの少なくとも一つ、及び
前記一つ以上のマルチメディアコンテンツのストリーム、
の少なくとも一つであってもよい、
請求項１０に記載のシステム。
【請求項１２】
前記ウイジェット層が、前記一つ以上の入力装置を介して、前記一つ以上の層の各々の透過値をインタラクティブに調整することが可能である、請求項１０に記載のシステム。
【請求項１３】
前記一つ以上の層が互いに重なり合い、レンダリングされる、請求項１に記載のシステム。
【請求項１４】
小型移動装置上でマルチメディアコンテンツブラウジングを支援する方法であって、
前記マルチメディアコンテンツデータベースから一つ以上のマルチメディアコンテンツを検索及び取得し、
通信ネットワークを介して、前記一つ以上のマルチメディアコンテンツを転送し、
各々が透過値を有し得る前記一つ以上の層に前記一つ以上のマルチメディアコンテンツをレンダリングし、
一つ以上の入力装置を介して、前記一つ以上の層の各々の前記透過値を、独立に、イン
タラクティブに、連続的に、設定すること、
を含む方法。
【請求項１５】
前記一つ以上のマルチメディアコンテンツのうちの一つを一つ以上のセグメントへ分割し、
前記マルチメディアコンテンツ及び前記一つ以上のセグメントの各々のうち少なくとも一方がキーワードと関連付けられ、キーワードによって検索されること、
を更に含む、請求項１４に記載の方法。
【請求項１６】
前記マルチメディアコンテンツを一つ以上のソースマルチメディアコンテンツからの一つ以上のセグメントで合成するステップを更に含む、請求項１５に記載の方法。
【請求項１７】
前記一つ以上の層のうち二つ以上の層のコンテンツを前記二つ以上の層の透過値を用いて合成及び動画化のうち少なくともいずれかをし、
前記合成されたコンテンツを、前記マルチメディアコンテンツに記憶及びレンダリングのうち少なくともいずれかをするために該合成されたコンテンツを転送すること、
を更に含む、請求項１４に記載の方法。
【請求項１８】
キーワードによって前記一つ以上のマルチメディアコンテンツを問い合わせ、
前記一つ以上のマルチメディアコンテンツのキーフレームを閲覧することによって、  前記一つ以上のマルチメディアコンテンツを探査し、
前記一つ以上のマルチメディアコンテンツのストリームを再生することと、
を更に含む、請求項１４に記載の方法。
【請求項１９】
キーワードの出現頻度に基づいて関連番号で順序付けされ得る前記一つ以上のマルチメディアコンテンツのタイトルリストと、
前記一つ以上のマルチメディアコンテンツのうち合成されていないコンテンツ、及び合成されたコンテンツのうちの少なくともいずれかと、
前記一つ以上のマルチメディアコンテンツのストリームと、
の少なくとも一つを、前記一つ以上の層のうちの一つの上に、レンダリングすることを、
更に含む、請求項１４に記載の方法。
【請求項２０】
前記一つ以上の層を互いの層上にレンダリングすることを更に含む、請求項１４に記載の方法。
【請求項２１】
前記一つ以上の入力装置を介して前記一つ以上の層の各々の透過値をインタラクティブに調整することを更に含む、請求項１４に記載の方法。
【請求項２２】
前記一つ以上の入力装置によって前記一つ以上の層のうちの一つの透過値をＸ方向に調整することを更に含む、請求項２０に記載の方法。
【請求項２３】
前記一つ以上の入力装置によって前記一つ以上の層のうちの一つの透過値をＹ方向に調整するステップを更に含む、請求項２０に記載の方法。
【請求項２４】
コンピュータに、
マルチメディアコンテンツデータベースから一つ以上のマルチメディアコンテンツを検索及び取得するステップ、
前記一つ以上のマルチメディアコンテンツを通信ネットワークを介して転送するステップ、
各々が透過値を有し得る一つ以上の層上に前記一つ以上のマルチメディアコンテンツをレンダリングするステップ、及び
前記一つ以上の層の各々の前記透過値を、一つ以上の入力装置を介して、独立に、インタラクティブに、連続的に、設定するステップ
を実行させるための、小型移動装置上でマルチメディアコンテンツブラウジングを支援するプログラム。
【請求項２５】
小型移動装置上でマルチメディアコンテンツブラウジングを支援するシステムであって、
マルチメディアコンテンツデータベースから一つ以上のマルチメディアコンテンツを検索及び取得する手段と、
通信ネットワークを介して前記一つ以上のマルチメディアコンテンツを転送する手段と、
各々が透過値を有し得る一つ以上の層に前記一つ以上のマルチメディアコンテンツをレンダリングする手段と、
一つ以上の入力装置を介して、前記一つ以上の層の各々の前記透過値を、独立に、インタラクティブに、連続的に、設定する手段と、
を有する、システム。
【手続補正２】
【補正対象書類名】明細書
【補正対象項目名】０００５
【補正方法】変更
【補正の内容】
【０００５】
請求項１４に記載の発明は、小型移動装置上でマルチメディアコンテンツブラウジングを支援する方法であって、マルチメディアコンテンツデータベースから一つ以上のマルチメディアコンテンツを検索及び取得し、通信ネットワークを介して、一つ以上のマルチメ
ディアコンテンツを転送し、各々が透過値を有し得る一つ以上の層に一つ以上のマルチメディアコンテンツをレンダリングし、一つ以上の入力装置を介して、一つ以上の層の各々の透過値を、独立に、インタラクティブに、連続的に、設定すること、を含むことを特徴とする。
【手続補正３】
【補正対象書類名】明細書
【補正対象項目名】０００６
【補正方法】変更
【補正の内容】
【０００６】
請求項２４に記載の発明は、小型移動装置上でマルチメディアコンテンツブラウジングを支援するプログラムであって、コンピュータに、マルチメディアコンテンツデータベースから一つ以上のマルチメディアコンテンツを検索及び取得するステップ、一つ以上のマルチメディアコンテンツを通信ネットワークを介して転送するステップ、各々が透過値を有し得る一つ以上の層上に一つ以上のマルチメディアコンテンツをレンダリングするステップ、及び一つ以上の層の各々の透過値を、一つ以上の入力装置を介して、独立に、インタラクティブに、連続的に、設定するステップを実行させることを特徴とする。
【手続補正４】
【補正対象書類名】明細書
【補正対象項目名】０００７
【補正方法】変更
【補正の内容】
【０００７】
請求項２５に記載の発明は、小型移動装置上でマルチメディアコンテンツブラウジングを支援するシステムであって、マルチメディアコンテンツデータベースから一つ以上のマルチメディアコンテンツを検索及び取得する手段と、通信ネットワークを介して一つ以上のマルチメディアコンテンツを転送する手段と、各々が透過値を有し得る一つ以上の層に一つ以上のマルチメディアコンテンツをレンダリングする手段と、一つ以上の入力装置を介して、一つ以上の層の各々の透過値を、独立に、インタラクティブに、連続的に、設定する手段と、を有することを特徴とする。
【手続補正５】
【補正対象書類名】明細書
【補正対象項目名】０００８
【補正方法】削除
【補正の内容】